(57)【特許請求の範囲】
【請求項１】
回路しゃ断器の付属装置として、主回路電圧が異常低下した際にしゃ断器をトリップ動作させる機能を備えた早入り補助スイッチ付き不足電圧引外し装置であって、電磁石と組合せた引外しレバー，および前記電磁石の回路に接続した早入り補助スイッチを装備した構成になり、回路しゃ断器のＯＮ操作時に、しゃ断器の主回路接点に先行して補助スイッチを投入し、電磁石を通電するようにしたものにおいて、
前記補助スイッチの接点ホルダに連係させて開閉操作用の駆動レバーを備えるとともに、該駆動レバーの回転軸端をケースから側方に引出した上で、不足電圧引外し装置を回路しゃ断器に付属させた状態で前記駆動レバーの回転軸を回路しゃ断器の開閉機構部に備えた主回路接点開閉レバーの軸端に連結し、回路しゃ断器のＯＮ操作時における前記開閉レバーの動きに連動して早入り補助スイッチを投入させるようにし、かつ前記駆動レバーをストッパ部材として、回路しゃ断器のＯＦＦおよびＯＮ操作途上に対応した状態で、電磁石と組合せた上下動式の引外しレバーを引外し解除位置に拘束保持するようにしたことを特徴とする回路しゃ断器の早入り補助スイッチ付き不足電圧引外し装置。
【請求項２】
請求項１記載の不足電圧引外し装置において、駆動レバーがその下端側に設けた回転軸を揺動軸支点としてレバー上端側にＬ字状に延在するストッパ部を有し、該ストッパ部を引外しレバーから側方に突き出したアームの下面に対峙させたことを特徴とする回路しゃ断器の早入り補助スイッチ付き不足電圧引外し装置。
【発明の詳細な説明】
【０００１】
【発明の属する技術分野】
本発明は、オートブレーカなどを対象とした回路しゃ断器の外部付属装置として、しゃ断器本体に組合せて使用する早入り補助スイッチ付き不足電圧引外し装置に関する。
【０００２】
【従来の技術】
頭記の配線用しゃ断器には各種の付属装置がオプション品として用意されており、その一つに早入り補助スイッチ付き不足電圧引外し装置がある。この不足電圧引外し装置はしゃ断器本体に装着して使用し、通電中に主回路電圧が異常に低下した際に回路しゃ断器をトリップ動作させるものであり、電磁石と組合せた引外しレバー、および前記電磁石の給電回路に接続してしゃ断器本体に装備した開閉操作ハンドルに連繋させた早入り補助スイッチを内蔵し、回路しゃ断器の投入操作時に、その主回路接点の閉成に先立って不足電圧引外し装置の補助スイッチを投入させるようにした構成のものが知られている。
【０００３】
ここで、付属装置としての早入り接点接点付き不足電圧引外し装置を説明する前に、本発明の実施対象となるオートブレーカの構成を図５，図６で説明する。図５において、１は回路しゃ断器、２は主回路の接点機構（橋絡形）２ａ，接圧ばね２ｂおよび消弧室２ｃを備えた電流しゃ断部、３は電流しゃ断部２の開閉機構部、４は熱動形および電磁形引外し装置を組合せた過電流引外し装置、５はしゃ断器本体１のカバー上面に配して開閉機構部４のトグルリンク機構に連結した開閉操作ハンドル（操作ハンドル５は図示例はロッカー式ハンドルのほか、ロータリー式ハンドルもある）、６は開閉機構３に装備したラッチ機構と電磁形引外し装置４ｂとの間を連係して電磁形引外し装置４ｂの動作時に回路しゃ断器をトリップ動作させる引外し板（常時は復帰ばねにより上方に押し上げ付勢して待機位置に保持されている）、７は主回路端子である。
【０００４】
また、図６(a),(b) において、開閉機構部３は、外枠フレーム３ａ、操作ハンドル５に連結したトグルリンク３ｂ、前記電流しゃ断部２の接点機構を開閉操作する駆動レバー３ｃ、駆動レバー３ｃの駆動ばね３ｄ（駆動レバー３ｃの支軸３ｃ-1に取付けた捩じりコイルばね）、トグルリンク３ｂにリンク結合したラッチ３ｅ，およびラッチ受け３ｆとの組立体からなる。
【０００５】
上記構成の回路しゃ断器において、操作ハンドル５を図示のＯＮ位置に倒すと、開閉機構部３のトグルリンク３ｂが開閉レバー３ｃの後端を押し下げ、レバー先端を主回路接点２ａの接点ホルダから上方に引き上げる。これにより、電流しゃ断部２の主回路接点２ａが接圧ばね２ｂのばね付勢を受けて閉極する。なお、この状態では開閉ばね３ｄが蓄勢される。また、操作ハンドル５をＯＮ位置からＯＦＦ位置に倒すと、トグルリンク３ａが反転動作して開閉レバー３ｃの拘束を解除する。これにより開閉レバー３ｃが蓄勢されていた開閉ばね３ｄのばね力を受けて主回路接点機構２ａの接点ホルダを叩き、接圧ばね２ｂに抗して主回路接点２ａを開極する。一方、回路しゃ断器の投入状態で、主回路に過電流が流れて過電流引外し装置４が作動すると、これに応動して開閉機構部３におけるラッチ３ｅとラッチ受け３ｆの係合が外れて開閉機構部３がトリップ動作し、主回路接点を開極させて電流をしゃ断する。なお、回路しゃ断器のトリップ動作時には、操作ハンドル５がＯＮ位置とＯＦＦ位置との中間位置に停止して回路しゃ断器がトリップ動作したことを表示する。
【０００６】
また、回路しゃ断器のトリップ動作後に再投入する場合には、操作ハンドル５をトリップ表示位置から一旦ＯＦＦ位置に戻して開閉機構部３のラッチ機構をリセット（ラッチ３ｅをラッチ受け３ｆに係合させる）させた上で、ここから操作ハンドル５をＯＮ位置に倒すことにより主回路接点が閉極して投入状態となる。なお、前記回路しゃ断器の構造，動作については本発明と同一出願人より提案した特開２００１─２３４９９号公報に詳しく述べられている。
【０００７】
次に、前記回路しゃ断器の本体に装着して使用する付属装置として、ロッカー式操作ハンドルに対応する従来の早入り補助スイッチ付き不足電圧引外し装置の構造および動作を図７，図８、および図９（ロータリー式操作ハンドルに対応）で説明する。
図７(a),(b) は本発明と同一出願人より特願２０００─１１８０７５号として提案した、早入り補助スイッチ付き不足電圧引外し装置の構成図であり、不足電圧引外し装置８にはそのケーシング上面から側方に突き出したリセットレバー９，および補助レバー１０を装備しており、当該不足電圧引外し装置を回路しゃ断器の側面に取付けた状態で前記レバー９，１０を回路しゃ断器の操作ハンドル５のＯＦＦ側，およびＯＮ側の上方位置に対峙させている。
【０００８】
次に、不足電圧引外し装置８の内部構造を図８(a),(b) に示す。図において、１１は不足電圧引外し装置のユニットケース、１２はユニットケース１１の両端に配した外部接続端子、１３は電磁石、１４は電磁石１３の励磁コイルと外部接続端子１２との間に介装した早入り補助スイッチ、１５は下端を電磁石１３のアーマチュア１３ａに連結して上下方向にスライド可能に案内支持し、上端に結合して側方に引出したピンの先端を回路しゃ断器の本体ケース内に引き入れてしゃ断器側の引外し板６（図５参照）の肩部に対峙させた引外しレバー、１６は引外しレバー１５を引外し動作方向（下向き）に付勢するばね、１７は前記したリセットレバー１０と早入り補助スイッチ１４との接点ホルダ（後記する）との間を連係する回転レバーである。ここで、前記の早入り補助スイッチ１４は固定接点１４ａと橋絡形の可動接点１４ｂを対にした上下２組の補助接点，可動接点１４ｂの接圧ばね１４ｃ，および揺動式の接点ホルダ１４ｄとからなり、接点ホルダ１４ｄはその下端が支軸１４ｅを介してユニットケース１１に軸支され、復帰ばね（捩じりコイルばね）１４ｆで接点を開く方向に付勢されている。また、接点ホルダ１４ｄは上端から上方に延在するアーム先端が前記の回転レバー１７と向き合っている。なお、回転レバー１７は他端に結合したピンを補助レバー１０に形成したＬ字状溝に嵌合し、補助レバー１０を押し込んだ際に回転レバー１７を反時計方向に駆動する。
【０００９】
かかる構成の不足電圧引外し装置８は、単独では図示のように早入り補助スイッチ１４の接点ホルダ１４ｄが復帰ばね１４ｆのばね付勢によりＯＦＦ位置に後退して補助接点は開いている。また、引外しレバー１５および電磁石１３のアーマチュア１３ａは付勢ばね１６のばね力で下方に押し下げられている。
また、上記の不足電圧引外し装置８を回路しゃ断器に装着した上で主回路の電源側に配線した状態で回路しゃ断器がＯＦＦであれば、図示のように早入り補助スイッチ１４は補助接点がＯＦＦで電磁石１３は非励磁である。ここで、回路しゃ断器を投入するために操作ハンドル５をＯＮ位置に倒すように補助レバー１０を押し込むと、これに連動して回転レバー１７が反時計方向に回動して早入り補助スイッチ１４の接点ホルダ１４ｄをＯＮ方向に押し、回路しゃ断器の主回路接点が閉極する以前に早入り補助接点が閉じ、電磁石１３が主回路電圧で励磁される。この場合に主回路電圧が正常（定格電圧）であれば、その磁気吸引力により付勢ばね１６に抗してアーマチュア１３ａを吸引し、引外しレバー１５を上方に押し上げて回路しゃ断器の引外し板から引き離す。そして、補助レバー１０を最後まで押し込んで回路しゃ断器の操作ハンドル５をＯＮ位置に倒すと、主回路接点が閉極して回路しゃ断器がＯＮとなる。また、補助レバー１０は押し込み位置に保持される。
【００１０】
一方、回路しゃ断器の通電中に主回路電圧が規定範囲を超えて異常低下すると、電磁石１３に印加する電圧も低下してその磁気吸引力が減少するので、復帰ばね１６のばね力が電磁石１３の吸引力に打ち勝って引外しレバー１５を下方に押し下げる。これにより、引外しレバー１５の先端が回路しゃ断器の引外し板６（図５参照）を押し下げて開閉機構部３のラッチを釈放する。その結果、図５で述べたように回路しゃ断器がトリップ動作して主回路接点が開極する。
【００１１】
また、トリップ動作後に回路しゃ断器を再投入する際には、不足電圧引外し装置８のリセットレバー９を押して回路しゃ断器の操作レバー５をトリップ表示位置からＯＦＦ位置に倒す。これにより、補助レバー１０が操作レバー５に突き上げられて回転レバー１７の拘束を解くとともに、早入り補助スイッチ１４の接点ホルダ１４ｄが復帰ばね１４ｆのばね力によりＯＦＦ位置に傾動して補助接点を開く。その後に、先述のＯＮ操作と同様に補助１０を押し込んで操作ハンドル５をＯＮ位置に倒すことにより、不足電圧引外し装置８の早入り補助スイッチ１４の補助接点が回路しゃ断器の主回路接点に先行して投入される。なお、回路しゃ断器の再投入時に主回路電圧が回復してないと、電磁石１３の磁気吸引力が弱いために引外しレバー１５が付勢ばね１６により押し下げられて回路しゃ断器が再度トリップ動作する。
【００１２】
次に、ロータリー式操作ハンドルを装備した回路しゃ断器に対応する従来の早入り補助スイッチ付き不足電圧引外し装置の構成を図９(a),(b) に示す。なお、この早入り補助スイッチ付き不足電圧引外し装置８は、ドイツ特許ＤＥ１９７５４０７２Ｃ１号公報に開示されていて公知である。
すなわち、図示の不足電圧引外し装置８は基本的に図８と同様であるが、早入り補助スイッチ１４の接点ホルダ１４ｄの上端に取付けた動作レバー１４ｄ-1をケース１１から側方に引出して回路しゃ断器１の内部に差込み、この位置でレバー先端をロータリー式操作ハンドル５に連動するしゃ断器本体側の駆動レバー１８に連係するようにしている。すなわち、回路しゃ断器のロータリー式操作ハンドル５はリセットカム５ａを介して駆動レバー１８に連係し、操作ハンドル５のＯＮ操作時にリセットカム１７，駆動レバー１６を介して不足電圧引外し装置８に内蔵した早入り補助スイッチ１４の接点ホルダ１４ｃを接点投入方向に駆動するようにしている。なお、ロータリー式操作ハンドル５は、歯車機構を介して回路しゃ断器の開閉機構部（図５，図６参照）のトグルリンク機構と伝動連結するようにしている。
【００１３】
ここで、回路しゃ断器１を投入する際に操作ハンドル５をＯＦＦ位置からＯＮ位置に向けて時計方向に回すと、その操作途上でハンドルと一緒に回転するリセットカム５ａが駆動レバー１８を押して反時計方向に揺動させる。これにより、駆動レバー１８が動作レバー１４ｄ-1を押して早入り補助スイッチ１４の接点ホルダ１４ｄをＯＦＦ位置からＯＮ位置に駆動する。また、回路しゃ断器のＯＦＦ操作，トリップ動作後のリセット操作時に、操作ハンドル５をＯＦＦ位置に回すと、駆動レバー１８は復帰ばねによりＯＦＦ位置に復帰するとともに、不足電圧引外し装置８の接点ホルダ１４ｄは復帰ばね１４ｆのばね付勢によりＯＦＦ位置に揺動して補助接点を開極し、電磁石１３の通電回路を絶つ。
【００１４】
【発明が解決しようとする課題】
ところで、前記した従来の早入り補助スイッチ付き不足電圧引外し装置は、構造および取扱い面で次記のような問題点がある。すなわち、
(1) ロッカー式操作ハンドルを装備した回路しゃ断器に適用する不足電圧引外し装置（図７，図８参照）と、ロータリー式操作ハンドルを装備した回路しゃ断器に適用する不足電圧引外し装置（図９参照）とでは、その早入り補助スイッチ１４の接点ホルダ１４ｄを回路しゃ断器の操作ハンドル５に連係してＯＮ，ＯＦＦ操作する連係構造が大幅に異なることから、メーカーではロッカー式ハンドルおよびロータリー式ハンドルに対応する二種類の不足電圧引外し装置を回路しゃ断器の付属装置（オプション品）として用意しておく必要があり、そのために製品がコスト高となる。
【００１５】
(2) また、回路しゃ断器についても、ロータリー式ハンドルを装備したものでは、ハンドル機構とは別に不足電圧引外し装置に対応させるために回路しゃ断器１に駆動レバー１８を装備するなど部品点数も多く、構造も複雑になって回路しゃ断器がコスト高となる。
(3) さらに、不足電圧引外し装置を回路しゃ断器に取付ける際の作業性にも問題がある。すなわち、主回路に接続する以前の非通電の状態では、不足電圧引外し装置８の電磁石１３は励磁されてなく、引外しレバー１５（図８，図９参照）はばね付勢により引外し位置に押し下げられており、該引外しレバーの上端からケースを貫通して側方に引出したレバーピンも下降している。一方、回路しゃ断器１ではしゃ断器本体の内部に組付けた引外し板６（図５参照）がその復帰ばねにより上方の後退位置に押し上げられている。そのために、不足電圧引外し装置８をそのまま回路しゃ断器１の側面に装着しようとすると、前記引外しレバー１５のレバーピン先端がしゃ断器本体側の引外し板６の側面に突き当たって定位置に差し込むことができない。そこで、従来では作業者がドライバ等の工具を使って回路しゃ断器１の内部に組付けた引外し板６を押し下げ、この状態を保ちながら不足電圧引外し装置８を装着して引外しレバー１５のピンを引外し板６の肩部の上方に差し込むようにしているが、その作業は面倒で手間がかかる。
【００１６】
そこで、本発明の目的は、ロッカー式操作ハンドルを装備した回路しゃ断器，およびロータリー式操作ハンドルを装備した回路しゃ断器のいずれにも適用できるようにし、併せて回路しゃ断器に装着する際の作業が楽に行えるように構造を改良した早入り補助スイッチ付き不足電圧引外し装置を提供することにある。
【００１７】
【課題を解決するための手段】
上記目的を達成するために、本発明によれば、電磁石と組合せた引外しレバー，および前記電磁石の回路に接続した早入り補助スイッチを装備し、回路しゃ断器のＯＮ操作時に、しゃ断器の主回路接点に先行して補助スイッチを投入し、電磁石を通電させるようにした早入り補助スイッチ付き不足電圧引外し装置において、
前記補助スイッチの接点ホルダに連係させて開閉操作用の駆動レバーを備えるとともに、該駆動レバーの回転軸端をケースから側方に引出した上で、不足電圧引外し装置を回路しゃ断器に付属させた状態で前記駆動レバーの回転軸を回路しゃ断器の開閉機構部に備えた主回路接点開閉レバーの軸端に連結し、回路しゃ断器のＯＮ操作時における前記開閉レバーの動きに連動して早入り補助スイッチを投入させるようにし、かつ前記駆動レバーをストッパ部材として、回路しゃ断器のＯＦＦおよびＯＮ操作途上に対応した状態で、電磁石と組合せた上下動式の引外しレバーを引外し解除位置に拘束保持するようにする。
【００１８】
すなわち、開閉操作ハンドルのタイプに関係なく、回路しゃ断器の開閉機構部には図６で述べたようにハンドル操作に連動する開閉レバー３ｃを装備しており、ハンドルのＯＮ，ＯＦＦ操作，および回路しゃ断器１のトリップ動作に連動して開閉レバー３ｃの回転軸３ｃ-1がＯＮ，ＯＦＦ方向に回転する。
そこで、この開閉レバーの回転軸を利用して前記構成のように不足電圧引外し装置の早入り補助スイッチとの間を連係し、回路しゃ断器のＯＮ，ＯＦＦおよびトリップ動作に合わせて早入り補助スイッチを開閉することにより、同一構造の不足電圧引外し装置を用いてロッカー式ハンドルの回路しゃ断器，およびロータリー式ハンドルの回路しゃ断器のいずれにも適用できる。しかも、前記構成のように早入り補助スイッチの接点ホルダに連係させた駆動レバーの回転軸をケースから側方に引出して回路しゃ断器側の開閉レバー軸端に直接連結することにより、部品点数が少なくて構造，組立も簡易となる。
【００１９】
また、本発明によれば、前記構成の不足電圧引外し装置において、前記駆動レバーはその下端側に設けた回転軸を揺動軸支点としてレバー上端側にＬ字状に延在するストッパ部を形成し、該ストッパ部を引外しレバーから側方に突き出したアームの下面に対峙させて引外しレバーを支えるようにする（請求項２）。
【００２０】
この構成により、不足電圧引外し装置を回路しゃ断器に装着する以前の状態（早入り補助スイッチの接点ホルダがＯＦＦに復帰していて、これに連係した駆動レバーもＯＦＦ位置に後退している）では、引外しレバーに設けたアームが駆動レバーのストッパ部の上に載って引外しレバーをこの高さ位置に保持している。したがって、不足電圧引外し装置を回路しゃ断器に装着する場合に、不足電圧引外し装置から突き出た引外しレバーの先端ピンとしゃ断器側の引外し板との不要な干渉を避けて支障なく簡単に装着できる。
【００２１】
また、不足電圧引外し装置を回路しゃ断器に付属させた使用状態で、回路しゃ断器をＯＮ操作すれば、その開閉機構部の開閉レバーに連動して不足電圧引外し装置の駆動レバーがＯＮ方向に揺動し、前記アームから離脱して引外しレバーの拘束を解除するので、不足電圧引外し機能に支障を来すことはない。
【００２２】
【発明の実施の形態】
以下、本発明の実施の形態を図１〜図４に示す実施例に基づいて説明する。なお、実施例の図中で図６および図８に対応する部材には同じ符号を付してその詳細な説明は省略する。
すなわち、図示実施例の早入り補助スイッチ付き不足電圧引外し装置８は、その主要部の構造は基本的に従来と同様であるが、図８におけるリセットレバー９，補助レバー１０，および回転レバー１７などは設けてなく、これに代わる部材として早入り補助スイッチ１４の接点ホルダ１４ｄの上端側に連係させてその側方に駆動レバー１９を装備している。
【００２３】
この駆動レバー１９は、図１(b) で示すようにレバーの下端に結合した回転軸１９ａの先端を不足電圧引外し装置８のケース１１から側方（回路しゃ断器１との対面側）に引出した上で、その先端には直径方向の突起を形成し、回路しゃ断器１の開閉機構部３に装備した開閉レバー３ｃ（図６参照）の軸３ｃ-1に連結するオルダム継手を構成している。また、該レバーは上端側をＬ字状にして引外しレバー１５に対するストッパ部１９ｂを形成しており、さらに接点ホルダ１４ｄの背面に向けて駆動ピン１９ｃが突き出た構造になる。そして、図１のＯＦＦ位置では駆動レバー１９が直立してそのストッパ部１９ａの上に引外しレバー１５から側方に突き出たアーム１５ａが当たって引外しレバー１５を引外し解除位置Ｈから下方に下がらないようにこの位置に拘束保持している。
【００２４】
上記の構成で、不足電圧引外し装置８を回路しゃ断器１に組合せてその側面に装着すると、不足電圧引外し装置８のケース１１から側方に突き出した駆動レバー１９の回転軸１９ａがしゃ断器の開閉機構部３に備えた開閉レバー３ｃの軸３ｃ-1の端面に噛み合って連結される。また、引外しレバー１５（開閉レバー１９のストッパ部１９ｂで上昇位置に拘束保持されている）の上端からケース１１を貫通して側方に突き出し引外しピン１５ｂは、回路しゃ断器１に装備した引外し板６に突き当たることなくその肩部上方に対峙する。
【００２５】
また、図１は回路しゃ断器１をＯＦＦにした状態を表しており、その開閉機構部３の開閉レバー軸３ｃ-1に連結した駆動レバー１９は図示位置に停止しており、早入り補助スイッチ１４の接点ホルダ１４ｄは復帰ばね１４ｅのばね付勢を受けて接点ＯＦＦ位置に後退している。したがって、この状態では電磁石１３は非励磁で磁気吸引力が働かないが、引外しレバー１５は前述のようにアーム１５ａが駆動レバー１９のストッパ部１９ｂにより引外し解除位置Ｈに保持されているので、回路しゃ断器１の引外し板６を押し下げることがなく、したがって図６(a) に示したラッチ機構は係合状態に保持される。
【００２６】
ここで、回路しゃ断器１の操作ハンドル５をＯＮ位置に倒すと、このハンドル操作に応動して開閉機構部３の開閉レバー３ｃが時計方向に回動し、この動きがレバー軸３ｃ-1を介して不足電圧引外し装置８の駆動レバー１９に伝わり、図２で示すように駆動レバー１９は回転軸１９ｂを支点に時計方向に揺動する。これにより、駆動ピン１９ｃを介して早入り補助スイッチ１４の接点ホルダ１４ｄがＯＮ位置に向けて駆動され、回路しゃ断器１の主回路接点２ａ（図５参照）が閉極する以前に早入り補助スイッチ１４がＯＮとなって、電磁石１３の回路が通電となり、電磁石コイルに主回路電圧が加わる。なお、早入り補助スイッチ１４がＯＮ動作するまでは、駆動レバー１９のストッパ部１９ｂが引外しレバー１５を引外し解除位置に係止保持している。
【００２７】
そして、回路しゃ断器の主回路接点が閉極して投入状態になれば、図３で示すように不足電圧引外し装置８の駆動レバー１９のストッパ部１９ｂが引外しレバー１５のアーム１５ａから離脱するが、この時点では電磁石１３が励磁されていてアーマチュア１３ａには磁気吸引力が作用しているので、主回路電圧が正常範囲であれば電磁石１３の磁気吸引力により引外しレバー１５は復帰ばね１６に抗して引外し解除位置に押し上げられ、したがって回路しゃ断器１はＯＮ状態を維持する。
【００２８】
一方、主回路電圧が異常に低下している状態で回路しゃ断器１をＯＮ操作すると、図１から図２までの動作は前記と同じであるが、主回路電圧が低下していると電磁石１３の磁気吸引力が小さくなる。このために、復帰ばね１６のばね力を受けている引外しレバー１５は、図４で示すように回転レバー１９との係合が外れたところで付勢ばね１６のばね力で下降し、その引外しピン１５ｂ（図１(b) 参照）がしゃ断器側の引外し板６を押し下げて回路しゃ断器をトリップ動作させる。つまり、主回路電圧が異常低下している場合には不足電圧引外し装置８が作動して回路しゃ断器１を投入することができない。
【００２９】
また、回路しゃ断器１を投入した通電状態で主回路電圧が異常低下すると、前記と同様に不足電圧引外し装置８が作動して回路しゃ断器１をトリップ動作させる。なお、回路しゃ断器１がトリップ動作すると開閉機構部３の開閉レバー軸３ｃ-1が反時計方向に回転するので、これに従動して不足電圧引外し装置８の駆動レバー１９も反時計方向に回動する。これにより、早入り補助スイッチ１４の接点ホルダ１４ｄがＯＦＦ位置に復帰して電磁石１３の通電回路を絶つ。また、駆動レバー１９のストッパ部１９ｂが引外しレバー１５のアーム１５ａの下側に潜り込んで引外しレバーを引外し解除位置に押し上げ、回路しゃ断器１のリセット，ＯＮ操作に備える。
【００３０】
すなわち、回路しゃ断器１をトリップ動作後に再投入するために、操作ハンドル５をトリップ表示位置から一旦ＯＦＦ位置に移動して開閉機構部３のラッチ機構をリセットさせ、ここから改めて操作ハンドル５をＯＮ位置に切換えると、不足電圧引外し装置８は図１のＯＦＦ状態から図３のＯＮ状態となる。
なお、回路しゃ断器に過電流が流れてトリップ動作した場合には、その開閉機構部３の動作に連動して不足電圧引外し装置８の駆動レバー１９が前記と同様にＯＮ位置からＯＦＦ位置に移動して早入り補助スイッチ１４がＯＦＦとなる。また、回路しゃ断器１をハンドル操作でＯＮからＯＦＦに切換えた場合も同様であり、開閉機構部３にＯＦＦ動作に連動して不足電圧引外し装置８の早入り補助スイッチ１４がＯＦＦとなる。
【００３１】
また、図示実施例（図１）では、不足電圧引外し装置８をロッカー式操作ハンドルを装備した回路しゃ断器に適用した場合を述べたが、ハンドルのタイプに関係なくロータリー式操作ハンドルを装備した回路しゃ断器にもそのまま適用できる。しかも、本発明の不足電圧引外し装置８では、早入り補助スイッチ１４を駆動レバー１９を介して回路しゃ断器の開閉機構部３の開閉レバー軸３ｃ-1に連係させたので、図９のように回路しゃ断器１に、ロータリー式操作ハンドル５に連係させた駆動レバー機構１８を設ける必要はない。
【００３２】
【発明の効果】
以上述べたように、本発明の構成によれば、次記の効果を奏する。
(1) 早入り補助スイッチ付き不足電圧引外し装置に装備した補助スイッチの接点ホルダに連係させて開閉操作用の駆動レバーを備えるとともに、該駆動レバーの回転軸端をケースから側方に引出した上で、不足電圧引外し装置を回路しゃ断器に付属させた状態で前記駆動レバーの回転軸を回路しゃ断器の開閉機構部に備えた主回路接点開閉レバーの軸端に連結し、回路しゃ断器のＯＮ操作時における前記開閉レバーの動きに連動して早入り補助スイッチを投入させるようにしたことにより、
回路しゃ断器の操作ハンドルのタイプ（ロッカー式ハンドル，ロータリー式ハンドル）に関係なく、同じ不足電圧引外し装置を適用できる。したがって、メーカーでは従来のようにロッカー式ハンドルに対応する不足電圧引外し装置と、ロータリー式ハンドルに対応する不足電圧引外し装置を別々に用意する必要がなく、また不足電圧引外し装置を回路しゃ断器に付属させた状態で、早入り補助スイッチに連係する駆動レバーの回転軸を回路しゃ断器の開閉レバー軸に直接連結するようにしたことにより、少ない部品点数で構成できて製品のコスト低減化が図れる。
【００３３】
(2) また、前記の駆動レバーをストッパ部材として、回路しゃ断器のＯＦＦおよびＯＮ操作途上に対応した状態で、電磁石と組合せた上下動式の引外しレバーを引外し解除位置に拘束保持するようにしたので、当該早入り補助スイッチ付き不足電圧引外し装置を回路しゃ断器に装着する際に、不足電圧引外し装置から突き出した引外しレバーのピンが回路しゃ断器側の引外し板の端面に突き当たって干渉するおそれがなく、これにより回路しゃ断器の引外し板をあらかじめ押し下げておくなどの面倒な操作が不要で不足電圧引外し装置の取付作業が簡単に行えるほか、主回路電圧が低下した場合のトリップ動作時を除き、引外しレバーを不動作位置に拘束保持して回路しゃ断器の開閉機構部に装備したラッチ機構の不要な釈放動作を防ぐことができる。
【図面の簡単な説明】
【図１】本発明の実施例１に係る早入り補助スイッチ付き不足電圧引外し装置の内部構造図であり、(a）は回路しゃ断器ＯＦＦに対応した不足電圧引外し装置の動作状態図、(b) は回路しゃ断器と不足電圧引外し装置との連係構造を表す斜視図
【図２】回路しゃ断器をＯＦＦからＯＮに切り換える途上に対応した図１の早入り補助スイッチ付き不足電圧引外し装置の動作状態を表す図
【図３】回路しゃ断器ＯＮに対応した図１の早入り補助スイッチ付き不足電圧引外し装置の動作状態を表す図
【図４】回路しゃ断器のＯＮ状態で主回路電圧が低下した際の早入り補助スイッチ付き不足電圧引外し装置の動作状態を表す図
【図５】オートブレーカを対象とした回路しゃ断器の構成図
【図６】図５における開閉機構部の構成図であり、(a) はロッカー式操作ハンドルとともに表した開閉機構部全体の構成斜視図、(b) は(a) における開閉レバーの斜視図
【図７】ロッカー式操作ハンドルを装備した回路しゃ断器に従来の早入り補助スイッチ付き不足電圧引外し装置を装着した状態の外観図であり、(a),(b) はそれぞれ平面図および側面図
【図８】図７における早入り補助スイッチ付き不足電圧引外し装置の内部構造を表す図であり、(a),(b) はそれぞれ正面図および側面図
【図９】ロータリー式操作ハンドルを装備した回路しゃ断器に適用する従来の早入り補助スイッチ付き不足電圧引外し装置の内部構造を表す図であり、(a),(b) はそれぞれ平面図および正面図
【符号の説明】
１    回路しゃ断器
３    開閉機構部
３ｃ  開閉レバー
３ｃ-1  開閉レバーの軸
５    開閉操作ハンドル
８    早入り補助スイッチ付き不足電圧引外し装置
１１    ケース
１３    電磁石
１３ａ  アーマチュア
１４    早入り補助スイッチ
１４ａ  固定接点
１４ｂ  可動接点
１４ｄ  接点ホルダ
１４ｅ  接点本体の支軸
１４ｆ  復帰ばね
１５    引外しレバー
１５ａ  アーム
１６    引外しレバーの復帰ばね
１９    駆動レバー
１９ａ  回転軸
１９ｂ  ストッパ部
【図１】
0004032693.tif 000002
【図２】
0004032693.tif 000003
【図３】
0004032693.tif 000004
【図４】
0004032693.tif 000005
【図５】
0004032693.tif 000006
【図６】
0004032693.tif 000007
【図７】
0004032693.tif 000008
【図８】
0004032693.tif 000009
【図９】
0004032693.tif 000010